(57)【要約】【課題】「さ行」あるいは「た行」の発音を誰もが的確に行うことができる総入れ歯を提供する。【解決手段】上顎側に装着される床本体１と、床本体１に固定される義歯Ｔとを備えており、義歯列より内側の床底面２に、発音促進用のリブ状突起３を設ける。リブ状突起３は、中切歯Ｔ１から第２小臼歯Ｔ５に至る義歯列に沿って湾曲状に形成する。【選択図】図１
2013085929.tif 000002
【特許請求の範囲】
【請求項１】
上顎側に装着される床本体（１）と、床本体（１）に固定される義歯（Ｔ）とを備えている総入れ歯であって、
義歯列より内側の床底面（２）に、発音促進用のリブ状突起（３）が設けてあることを特徴とする総入れ歯。
【請求項２】
リブ状突起（３）が義歯列に沿って湾曲状に形成してある請求項１に記載の総入れ歯。
【請求項３】
リブ状突起（３）が中切歯（Ｔ１）から第２小臼歯（Ｔ５）に至る義歯列に沿って湾曲状に形成してある請求項２に記載の総入れ歯。
【請求項４】
リブ状突起（３）の床底面（２）からのリブ高さＨが５〜７ｍｍに設定してある請求項１から３のいずれか一つに記載の総入れ歯。
【発明の詳細な説明】
【技術分野】
【０００１】  本発明は、着用時の発音を適正に行えるようにした総入れ歯に関する。
【背景技術】
【０００２】  総入れ歯を使用するとき、「さ行」あるいは「た行」の発音を的確に行えなくなることが指摘されている。このような発音障害を解消するために、特許文献１では、総入れ歯の床本体の内奥縁（喉側の縁）を、床中央の側へ向かって凹曲線状に湾曲している。さらに、舌と接触する床底面の全体にわたって、傾斜する溝の一群と、傾斜しない溝の一群とを形成している。また、床底面の前部中央に「干」字状の突部を設けている。【０００３】  本発明の総入れ歯に関して、床底面の中程に床穴を設けることが特許文２に開示してある。そこでは、食べ物をおしく食べるために床穴を設け、床穴に臨む上顎の粘膜に舌を接触できるようにしている。
【先行技術文献】
【特許文献】
【０００４】
【特許文献１】特開平１０−２０１７７３号公報
【特許文献２】実開平０５−０７０５１８号公報
【発明の概要】
【発明が解決しようとする課題】
【０００５】  特許文献１の総入れ歯では、床本体の内奥縁に７〜１０ｍｍの凹曲縁部を設けて、「さ行」の発音を自然に行えるとしているが、凹曲縁部を設けることと、「さ行」の発音を自然に行えることとの因果関係は不明である。また、床底面の全体にわたって傾斜する溝の一群、および傾斜しない溝の一群を設けているが、これらの溝の溝深さは０．２〜０．７ｍｍと浅く、上顎内面の粘膜表面の凹凸を模したものでしかない。【０００６】  本発明者は、総入れ歯を日常的に使用するときの「さ行」あるいは「た行」の発音障害を実際に体験し、自然な発音を行うための入れ歯の構造に関して研究を重ねた。さらに、自ら総入れ歯を試作し、実際に使用して発音障害を克服できるか否かを確認した。【０００７】  本発明の目的は、「さ行」あるいは「た行」の発音を誰もが的確に行うことができる総入れ歯を提供することにある。
【課題を解決するための手段】
【０００８】  本発明に係る総入れ歯は、上顎側に装着される床本体１と、床本体１に固定される義歯Ｔとを備えており、義歯列より内側の床底面２に、発音促進用のリブ状突起３が設けてあることを特徴とする。【０００９】  リブ状突起３は義歯列に沿って湾曲状に形成する。【００１０】  さらに好ましくは、リブ状突起３を中切歯Ｔ１から第２小臼歯Ｔ５に至る義歯列に沿って湾曲状に形成する。【００１１】  リブ状突起３の床底面２からのリブ高さＨは５〜７ｍｍに設定する。
【発明の効果】
【００１２】  本発明の総入れ歯においては、義歯列より内側の床底面２に発音促進用のリブ状突起３を設けるので、舌先をリブ状突起３にあてがって発音することにより、「さ行」あるいは「た行」の発音を的確に行うことができる。これは、舌先をリブ状突起３に接触させることにより、「さ行」および「た行」の破擦音および破裂音を確実に発音できるからである。【００１３】  リブ状突起３を義歯列に沿って湾曲状に形成すると、舌先とリブ状突起３との接触機会が増えて、接触刺激によって唾液が適度に出るため、食べ物が滑りやすく、口臭も激減する。【００１４】  また、リブ状突起３を中切歯Ｔ１から第２小臼歯Ｔ５に至る義歯列に沿って湾曲状に形成すると、食べ物がリブ状突起３に引っ掛かるのを良く防止しながら、「さ行」および「た行」の発音を適正に行える。【００１５】  リブ状突起３の床底面２からのリブ高さＨは５〜７ｍｍに設定するのは、リブ高さＨが５ｍｍ未満であると、発音促進効果が得られにくくなるからである。また、リブ高さＨが７ｍｍを越える場合にも、発音促進効果が得られにくいうえ、義歯列とリブ状突起３との間に食べ物が引っ掛かりやすくなるからである。
【図面の簡単な説明】
【００１６】
【図１】本発明に係る総入れ歯の底面図である。
【図２】図１におけるＡ−Ａ線断面図である。
【図３】図１におけるＢ−Ｂ線断面図である。
【図４】総入れ歯の使用状態を示す断面図である。
【発明を実施するための形態】
【実施例】
【００１７】  図１ないし図４は本発明に係る総入れ歯の実施例を示す。図１において、総入れ歯はレジンを成型して形成される床本体１と、床本体１に固定される義歯Ｔとで構成してあり、Ｔ１は中切歯、Ｔ２は側切歯、Ｔ３は犬歯、Ｔ４は第１小臼歯、Ｔ５は第２小臼歯、Ｔ６は第１大臼歯、Ｔ７は第２大臼歯である。【００１８】  上記構成の総入れ歯において、「さ行」ないし「た行」の発音を自然に行うために、義歯列より内側の床底面２に発音促進用のリブ状突起３を設ける。図１に点描したように、リブ状突起３の表面と、床底面２のリブ状突起３で囲まれた半円状の点描領域４の表面には、「さ行」の発音をより的確に行うために、微小凹凸面で形成してある。リブ状突起３は、中切歯Ｔ１から第２小臼歯Ｔ５に至る義歯列に沿って湾曲状に形成してある。図  に示すようにリブ状突起３は、舌触りを滑らかなものとするために、先端が丸められた断面山形に形成してあり、その床底面からのうリブ高さＨは７ｍｍ、リブ幅Ｗは６ｍｍとした。リブ高さＨは５〜７ｍの範囲内で選定でき、リブ高さＨが５ｍｍ未満であると、発音促進効果が得られにくくなる。同様に、リブ高さＨが７ｍｍを越える場合にも、発音促進効果が得られにくいうえ、義歯列とリブ状突起３との間に食べ物が引っ掛かりやすくなる。リブ幅Ｗは５〜７ｍｍの範囲内で選定することが好ましい。【００１９】  以上のように構成した総入れ歯は、図４に示すように上顎に装着して使用する。使用者は、舌先をリブ状突起３にあてがって発音することにより、「さ行」および「た行」の破擦音および破裂音を確実に発音できる。また、リブ状突起３を中切歯Ｔ１から第２小臼歯Ｔ５に至る義歯列に沿って湾曲状に形成するので、舌先とリブ状突起３との接触機会が増えるので、リブ状突起３との接触刺激によって唾液が適度に出るため、食べ物が滑りやすく、口臭も激減する。さらに、食べ物がリブ状突起３に引っ掛かるのを良く防止しながら、「さ行」および「た行」の発音を適正に行える。【００２０】  上記の実施例では、リブ状突起３を義歯列に沿って湾曲状に形成したが、その必要はなく、少なくとも中切歯Ｔ１および側切歯Ｔ２とほぼ平行になる状態で形成することができる。
【符号の説明】
【００２１】１  床本体
２  床底面
３  リブ状突起
Ｔ  義歯
【図１】
2013085929.tif 000003
【図２】
2013085929.tif 000004
【図３】
2013085929.tif 000005
【図４】
2013085929.tif 000006